(57)【要約】ＯＨラジカル検出プローブ（１０２）は、芳香族カルボン酸と、極性非プロトン性有機溶媒と、極性プロトン性有機溶媒と、を備える。
2018155260.tif 000002
【特許請求の範囲】
【請求項１】
芳香族カルボン酸と、
極性非プロトン性有機溶媒と、
極性プロトン性有機溶媒と、
を備えるＯＨラジカル検出プローブ。
【請求項２】
前記極性プロトン性有機溶媒の含有率は、前記極性非プロトン性有機溶媒の含有率より低い請求項１に記載のＯＨラジカル検出プローブ。
【請求項３】
前記芳香族カルボン酸は、テレフタル酸、サリチル酸、４−ヒドロキシ安息香酸、および、フェニルアラニンの群から選択される１または複数である請求項１または２に記載のＯＨラジカル検出プローブ。
【請求項４】
前記極性非プロトン性有機溶媒は、Ｎ，Ｎ−ジメチルホルムアミドであり、
前記極性プロトン性有機溶媒は、メタノールである請求項１から３のいずれか１項に記載のＯＨラジカル検出プローブ。
【請求項５】
芳香族カルボン酸、極性非プロトン性有機溶媒、および、極性プロトン性有機溶媒を含むＯＨラジカル検出プローブを収容する収容部と、
前記収容部内に測定対象ガスを供給するガス供給部と、
前記測定対象ガスに接触させた後の前記ＯＨラジカル検出プローブ中における、前記芳香族カルボン酸とＯＨラジカルとの反応生成物の濃度に基づいて、前記測定対象ガス中のＯＨラジカルの濃度を換算する濃度換算部と、
を備えるＯＨラジカル測定装置。
【請求項６】
前記濃度換算部は、
前記測定対象ガスに接触させた後の前記ＯＨラジカル検出プローブに紫外線を照射する照射部と、
前記ＯＨラジカル検出プローブから生じる蛍光の強度を測定する測定部と、
前記測定部によって測定された前記蛍光の強度に基づいて、前記測定対象ガス中のＯＨラジカルの濃度を導出する濃度導出部と、
を備える請求項５に記載のＯＨラジカル測定装置。
【請求項７】
前記濃度換算部は、ガスクロマトグラフ、液体クロマトグラフ、質量分析装置、ガスクロマトグラフ質量分析装置、液体クロマトグラフ質量分析装置、および、赤外分光装置のうちのいずれか１またはいずれか２以上の装置である請求項５に記載のＯＨラジカル測定装置。
【請求項８】
前記収容部内の前記測定対象ガスを加熱する加熱部を備える請求項５から７のいずれか１項に記載のＯＨラジカル測定装置。
【請求項９】
芳香族カルボン酸、極性非プロトン性有機溶媒、および、極性プロトン性有機溶媒を含むＯＨラジカル検出プローブを用いて気相中のＯＨラジカルを測定するＯＨラジカル測定方法。
【請求項１０】
前記ＯＨラジカル検出プローブと、測定対象ガスとを接触させる工程と、
前記測定対象ガスに接触させた後の前記ＯＨラジカル検出プローブ中における、前記芳香族カルボン酸とＯＨラジカルとの反応生成物の濃度に基づいて、前記測定対象ガス中のＯＨラジカルの濃度を換算する工程と、
を含む請求項９に記載のＯＨラジカル測定方法。
【発明の詳細な説明】
【技術分野】
【０００１】
本開示は、ＯＨラジカル検出プローブ、ＯＨラジカル測定装置、および、ＯＨラジカル測定方法に関する。本願は２０１７年２月２３日に日本に出願された特願２０１７−０３２０２４号に基づき優先権を主張し、その内容をここに援用する。
【背景技術】
【０００２】
従来、水中のＯＨラジカルを測定する技術として、ヒドロキシテレフタル酸の濃度を測定することで、ＯＨラジカルの濃度を導出する技術が開発されている（例えば、特許文献１）。特許文献１の技術は、テレフタル酸を含む水溶液中で放電させることによりＯＨラジカルを生成し、生成したＯＨラジカルとテレフタル酸とが反応することによって生じるヒドロキシテレフタル酸の濃度を測定する。
【先行技術文献】
【特許文献】
【０００３】
【特許文献１】特許第５７４０１３８号公報
【発明の概要】
【発明が解決しようとする課題】
【０００４】
上記特許文献１に示されたように、液相中のＯＨラジカルを検出する技術が従来開発されている。しかし、気相中のＯＨラジカルを検出するプローブ技術は、未だ開発されていない。【０００５】
本開示は、このような課題に鑑み、気相中のＯＨラジカルを検出することが可能なＯＨラジカル検出プローブ、ＯＨラジカル測定装置、および、ＯＨラジカル測定方法を提供することを目的としている。
【課題を解決するための手段】
【０００６】
上記課題を解決するために、本開示の一態様に係るＯＨラジカル検出プローブは、芳香族カルボン酸と、極性非プロトン性有機溶媒と、極性プロトン性有機溶媒と、を備える。【０００７】
また、極性プロトン性有機溶媒の含有率は、極性非プロトン性有機溶媒の含有率より低くてもよい。【０００８】
また、芳香族カルボン酸は、テレフタル酸、サリチル酸、４−ヒドロキシ安息香酸、および、フェニルアラニンの群から選択される１または複数であってもよい。【０００９】
また、極性非プロトン性有機溶媒は、Ｎ，Ｎ−ジメチルホルムアミドであり、極性プロトン性有機溶媒は、メタノールであってもよい。【００１０】
上記課題を解決するために、本開示の一態様に係るＯＨラジカル測定装置は、芳香族カルボン酸、極性非プロトン性有機溶媒、および、極性プロトン性有機溶媒を含むＯＨラジカル検出プローブを収容する収容部と、収容部内に測定対象ガスを供給するガス供給部と、測定対象ガスに接触させた後のＯＨラジカル検出プローブ中における、芳香族カルボン酸とＯＨラジカルとの反応生成物の濃度に基づいて、測定対象ガス中のＯＨラジカルの濃度を換算する濃度換算部と、を備える。【００１１】
また、濃度換算部は、測定対象ガスに接触させた後のＯＨラジカル検出プローブに紫外線を照射する照射部と、ＯＨラジカル検出プローブから生じる蛍光の強度を測定する測定部と、測定部によって測定された蛍光の強度に基づいて、測定対象ガス中のＯＨラジカルの濃度を導出する濃度導出部と、を備えてもよい。【００１２】
また、濃度換算部は、ガスクロマトグラフ、液体クロマトグラフ、質量分析装置、ガスクロマトグラフ質量分析装置、液体クロマトグラフ質量分析装置、および、赤外分光装置のうちのいずれか１またはいずれか２以上の装置であってもよい。【００１３】
また、収容部内の測定対象ガスを加熱する加熱部を備えてもよい。【００１４】
上記課題を解決するために、本開示の一態様に係るＯＨラジカル測定方法は、芳香族カルボン酸、極性非プロトン性有機溶媒、および、極性プロトン性有機溶媒を含むＯＨラジカル検出プローブを用いて気相中のＯＨラジカルを測定する。【００１５】
また、ＯＨラジカル検出プローブと、測定対象ガスとを接触させる工程と、測定対象ガスに接触させた後のＯＨラジカル検出プローブ中における、芳香族カルボン酸とＯＨラジカルとの反応生成物の濃度に基づいて、測定対象ガス中のＯＨラジカルの濃度を換算する工程と、を含んでもよい。
【発明の効果】
【００１６】
気相中のＯＨラジカルを検出することが可能となる。
【図面の簡単な説明】
【００１７】
【図１】ＯＨラジカル測定装置を説明する図である。
【図２】収容部、加熱部、ガス供給部の具体的な構成を説明する図である。
【図３】ＯＨラジカル測定方法の処理の流れを示すフローチャートである。
【図４】図４（ａ）は、比較例１の検量線を示す。図４（ｂ）は、実施例１の検量線を示す。
【図５】実施例２の蛍光スペクトルを示す図である。
【図６】図６（ａ）は、実施例３の蛍光スペクトルを示す図である。図６（ｂ）は、実施例３における測定対象ガスとＯＨラジカル検出プローブとの接触時間（分）と、蛍光強度との関係を示す図である。図６（ｃ）は、実施例３における測定対象ガスとＯＨラジカル検出プローブとの接触時間（分）と、ＯＨラジカル検出プローブ中のＨＴＡの濃度（ｎＭ）との関係を示す図である。
【図７】図７（ａ）は、実施例４の蛍光スペクトルを示す図である。図７（ｂ）は、実施例４における測定対象ガスとＯＨラジカル検出プローブとの接触時間（分）と、蛍光強度との関係を示す図である。図７（ｃ）は、実施例４における測定対象ガスとＯＨラジカル検出プローブとの接触時間（分）と、ＯＨラジカル検出プローブ中のＨＴＡの濃度（ｎＭ）との関係を示す図である。
【図８】図８（ａ）は、実施例５の蛍光スペクトルを示す図である。図８（ｂ）は、実施例５における測定対象ガスとＯＨラジカル検出プローブとの接触時間（分）と、蛍光強度との関係を示す図である。図８（ｃ）は、実施例５における測定対象ガスとＯＨラジカル検出プローブとの接触時間（分）と、ＯＨラジカル検出プローブ中のＨＴＡの濃度（ｎＭ）との関係を示す図である。
【図９】図９（ａ）は、実施例６の蛍光スペクトルを示す図である。図９（ｂ）は、実施例６における測定対象ガスとＯＨラジカル検出プローブとの接触時間（分）と、蛍光強度との関係を示す図である。図９（ｃ）は、実施例６における測定対象ガスとＯＨラジカル検出プローブとの接触時間（分）と、ＯＨラジカル検出プローブ中のＨＴＡの濃度（ｎＭ）との関係を示す図である。
【図１０】実施例４〜実施例６を測定対象ガスとしたときに、ＯＨラジカル検出プローブ中に生成されたＨＴＡの濃度を説明する図である。
【図１１】図１１（ａ）は、実施例７の蛍光スペクトルを示す図である。図１１（ｂ）は、実施例７における測定対象ガスとＯＨラジカル検出プローブとの接触時間（分）と、蛍光強度との関係を示す図である。
【図１２】図１２（ａ）は、実施例８の蛍光スペクトルを示す図である。図１２（ｂ）は、実施例８における測定対象ガスとＯＨラジカル検出プローブとの接触時間（分）と、蛍光強度との関係を示す図である。
【図１３】図１３（ａ）は、実施例９の蛍光スペクトルを示す図である。図１３（ｂ）は、実施例９における測定対象ガスとＯＨラジカル検出プローブとの接触時間（分）と、蛍光強度との関係を示す図である。
【発明を実施するための形態】
【００１８】
以下に添付図面を参照しながら、本開示の一実施形態について詳細に説明する。かかる実施形態に示す寸法、材料、その他具体的な数値等は、理解を容易とするための例示にすぎず、特に断る場合を除き、本開示を限定するものではない。なお、本明細書および図面において、実質的に同一の機能、構成を有する要素については、同一の符号を付することにより重複説明を省略し、また本開示に直接関係のない要素は図示を省略する。
【００１９】
（ＯＨラジカル検出プローブ）
本実施形態にかかるＯＨラジカル検出プローブは、芳香族カルボン酸と、極性非プロトン性有機溶媒と、極性プロトン性有機溶媒とを備える。ＯＨラジカル検出プローブが、極性プロトン性有機溶媒を備えることにより、芳香族カルボン酸とＯＨラジカルとを反応させることができ、ＯＨラジカルを検出することが可能となる。
【００２０】
また、液相中のＯＨラジカルを測定する従来のＯＨラジカル検出プローブは、テレフタル酸を溶かす溶媒として水を用いた水溶液である。このため、従来のＯＨラジカル検出プローブによって、気相中、特に水蒸気中（または、湿度が高い加湿気相中）のＯＨラジカルの測定が試みられた場合、水溶液中に溶け込んだＯＨラジカルの前駆体から生成されたＯＨラジカルとテレフタル酸とが優先的に反応してしまう。したがって、従来のＯＨラジカル検出プローブは、気相中のＯＨラジカルを選択的に検出できないという問題があった。
【００２１】
これに対し、本実施形態にかかるＯＨラジカル検出プローブは、主溶媒として極性非プロトン性有機溶媒を備える無水溶媒にすることにより、液相にＯＨラジカルの前駆体が溶け込むことがなくなる。したがって、本実施形態にかかるＯＨラジカル検出プローブは、水溶媒（水溶液）のように液相中に溶け込んだＯＨラジカルの前駆体から生成されたＯＨラジカルと、芳香族カルボン酸とが反応してしまう事態を回避することができる。
【００２２】
また、ＯＨラジカルと芳香族カルボン酸とが反応すると、プロトン（Ｈ＋）が生成される。このため、芳香族カルボン酸を溶解させるための有機溶媒として極性非プロトン性有機溶媒のみが用いられると、プロトンが受容されず、ＯＨラジカルと芳香族カルボン酸との反応が進行しなくなってしまう。
【００２３】
そこで、本実施形態にかかるＯＨラジカル検出プローブは、副溶媒として極性プロトン性有機溶媒を備えることにより、反応によって生じたプロトンを受容させることができる。これにより、ＯＨラジカルと芳香族カルボン酸との反応を進行させ、ヒドロキシテレフタル酸（以下、「ＨＴＡ」と称する）を生成させることができ、結果として、気相中のＯＨラジカルを検出することが可能となる。特に、本実施形態のＯＨラジカル検出プローブは、水蒸気中、または、湿度が高い加湿気相中のＯＨラジカルを検出することができる。ここで、気相は、気体のみが存在する相のみならず、液体（例えば、液体の水）が含まれる気体を含む概念である。液体が含まれる気体は、ミストを含む気体、液体の層を含む気体（例えば、水分子が複数層形成された箇所を含む気体）、または、液体が分散された気体（エアロゾル）である。
【００２４】
なお、ＯＨラジカル検出プローブにおける溶媒（極性非プロトン性有機溶媒、および、極性プロトン性有機溶媒）中の芳香族カルボン酸は、例えば、２ｍｍｏｌ／Ｌ（２ｍＭ＝２ｍｏｌ／ｍ３）程度である。また、ＯＨラジカル検出プローブにおける極性プロトン性有機溶媒の含有率は、極性非プロトン性有機溶媒の含有率より低い（例えば、極性プロトン性有機溶媒の含有率は、極性非プロトン性有機溶媒の含有率の１０％〜５０％程度）とよい。これにより、極性プロトン性有機溶媒に溶解する気相中の湿分の量を低減することができる。
【００２５】
また、本実施形態にかかるＯＨラジカル検出プローブを構成する芳香族カルボン酸は、フタル酸（ｏ−フタル酸、ｍ−フタル酸、ｐ−フタル酸（テレフタル酸））、フタル酸の誘導体（例えば、テレフタル酸ジメチル）、安息香酸、安息香酸の誘導体（例えば、ヒドロキシ安息香酸（２−ヒドロキシ安息香酸（サリチル酸）、３−ヒドロキシ安息香酸、４−ヒドロキシ安息香酸））、および、ベンゼン環に置換基を介してカルボキシル基が結合した化合物の群から選択される１または複数である。芳香族カルボン酸は、好ましくは、テレフタル酸、サリチル酸、４−ヒドロキシ安息香酸、および、フェニルアラニンの群から選択される１または複数である。
【００２６】
また、本実施形態にかかるＯＨラジカル検出プローブを構成する極性非プロトン性有機溶媒は、例えば、Ｎ，Ｎ−ジメチルホルムアミド（ＤＭＦ）、テトラヒドロフラン（ＴＨＦ）、アセトン、アセトニトリル、ジメチルスルフォキシド（ＤＭＳＯ）、ジオキサン、クロロホルム、二塩化エチレン、および、塩化メチレンの群から選択される１または複数である。
【００２７】
また、本実施形態にかかるＯＨラジカル検出プローブを構成する極性プロトン性有機溶媒は、メタノール、エタノール、１−プロパノール、２−プロパノール（イソプロパノール）、酢酸、酢酸エチル、ギ酸、１−ブタノール、イソブチルアルコール、エチレングリコール、および、メタンジオールの群から選択される１または複数である。
【００２８】
（ＯＨラジカル検出プローブの製造方法）
続いて、ＯＨラジカル検出プローブの製造方法について説明する。まず、極性非プロトン性有機溶媒に芳香族カルボン酸を溶解させる。その後、芳香族カルボン酸の極性非プロトン性有機溶媒溶液に、極性プロトン性有機溶媒が混合される。これにより、芳香族カルボン酸を溶媒中に分散させることができる。
【００２９】
（ＯＨラジカル測定装置１００）
図１は、ＯＨラジカル測定装置１００を説明する図である。なお、図１中、ガスまたは液の流れを実線の矢印で示し、光の流れを破線の矢印で示し、信号の流れを一点鎖線の矢印で示す。
【００３０】
図１に示すように、ＯＨラジカル測定装置１００は、収容部１１０と、加熱部１２０と、ガス供給部１３０と、濃度換算部１４０とを含む。
【００３１】
収容部１１０は、上記ＯＨラジカル検出プローブ１０２（液体）を収容する。加熱部１２０は、気相中の湿度が高い場合に、収容部１１０内の測定対象ガスおよびＯＨラジカル検出プローブ１０２を所定の温度に加熱する。ガス供給部１３０は、収容部１１０内に測定対象ガスを供給する。
【００３２】
図２は、収容部１１０、加熱部１２０、ガス供給部１３０の具体的な構成を説明する図である。なお、図２中、測定対象ガスの流れを実線の矢印で示し、接触後のガスの流れを破線の矢印で示す。図２に示すように、収容部１１０は、密閉された容器である。収容部１１０の内部空間１１０ａには、ＯＨラジカル検出プローブ１０２が収容される。
【００３３】
加熱部１２０は、測定対象ガスが高湿度である場合に、収容部１１０内の測定対象ガス、および、ＯＨラジカル検出プローブ１０２を加熱する。加熱部１２０は、例えば、収容部１１０を囲繞するヒータで構成される。加熱部１２０を備える構成により、測定対象ガスが高湿度である場合に、収容部１１０において湿分が凝縮して液体の水が生成される事態を回避することができる。
【００３４】
ガス供給部１３０は、内側管１３２と、外側管１３４と、排気管１３６とを含む。内側管１３２は、一端１３２ａが不図示のガス供給源に接続され、他端１３２ｂが収容部１１０の内部空間１１０ａに配される管である。外側管１３４は、内側管１３２の一部を囲繞した管であり、一端１３４ａが収容部１１０の内部空間１１０ａに配され、他端１３４ｂが排気管１３６に接続される管である。なお、内側管１３２の他端１３２ｂは、外側管１３４の一端１３４ａより、鉛直下方（ＯＨラジカル検出プローブ１０２側）に位置する。
【００３５】
したがって、ガス供給部１３０によって供給された測定対象ガスは、内側管１３２の他端１３２ｂから収容部１１０の内部空間１１０ａに到達する。そして、測定対象ガスは、内部空間１１０ａにおいてＯＨラジカル検出プローブ１０２に接触した後、外側管１３４の一端１３４ａから外側管１３４内に流入する。外側管１３４に流入した測定対象ガスは、排気管１３６を通じて外部に排気される。
【００３６】
図１に戻って説明すると、濃度換算部１４０は、測定対象ガスに接触させた後のＯＨラジカル検出プローブ１０２中における、芳香族カルボン酸（テレフタル酸）とＯＨラジカルとの反応生成物（ＨＴＡ）の濃度に基づいて、測定対象ガス中のＯＨラジカルの濃度を換算する。本実施形態において、濃度換算部１４０は、照射部１５０と、測定部１６０と、制御部１７０とを含む。
【００３７】
照射部１５０は、収容部１１０から取り出したＯＨラジカル検出プローブ１０２に紫外線（例えば、波長３１０ｎｍの紫外線）を照射する。測定部１６０は、照射部１５０が紫外線を照射することで、ＯＨラジカル検出プローブ１０２から生じる蛍光（例えば、ＨＴＡ（ヒドロキシテレフタル酸）を示す波長４２５ｎｍの蛍光）の強度を測定する。
【００３８】
制御部１７０は、ＣＰＵ（中央処理装置）を含む半導体集積回路で構成される。制御部１７０は、ＲＯＭからＣＰＵ自体を動作させるためのプログラムやパラメータ等を読み出し、ワークエリアとしてのＲＡＭや他の電子回路と協働して、ＯＨラジカル測定装置１００全体を管理および制御する。本実施形態において、制御部１７０は、濃度導出部１７２として機能する。
【００３９】
濃度導出部１７２は、測定部１６０によって測定された蛍光の強度に基づいて、測定対象ガス中のＯＨラジカルの濃度を導出する。
【００４０】
例えば、ＯＨラジカル検出プローブ１０２を構成する芳香族カルボン酸としてテレフタル酸を採用した場合、ＯＨラジカル検出プローブ１０２にＯＨラジカルが接触すると、下記反応式（１）に示す反応が進行する。
【化１】
2018155260.tif 000003
…反応式（１）
反応式（１）は、テレフタル酸  ＋  ＯＨラジカル  →  ２−ヒドロキシテレフタル酸（ＨＴＡ）  ＋  プロトン  で表すこともできる。
【００４１】
したがって、この場合、テレフタル酸がＯＨラジカルと反応して、２−ヒドロキシテレフタル酸（ＨＴＡ）およびプロトンが生成される。そのため、照射部１５０によって、ＯＨラジカル検出プローブ１０２に紫外線が照射されると、ＨＴＡから蛍光が生じる。そして、測定部１６０が、ＨＴＡから生じた蛍光の強度（蛍光強度）を測定することで、その蛍光強度からＨＴＡの濃度、すなわち、気相中（測定対象ガス中）のＯＨラジカルの濃度を算出できる。
【００４２】
したがって、複数の異なる濃度のＨＴＡの標準液を作成し、それぞれに紫外線を照射して蛍光強度を測定し、ＨＴＡの蛍光強度の検量線を作成できる。そのため、濃度導出部１７２は、測定部１６０によって測定された蛍光の強度と検量線とに基づいて、ＯＨラジカルの濃度を導出することが可能となる。
【００４３】
（ＯＨラジカル測定方法）
続いて、ＯＨラジカル測定装置１００を用いたＯＨラジカル測定方法について説明する。図３は、ＯＨラジカル測定方法の処理の流れを示すフローチャートである。ＯＨラジカル測定方法は、接触工程Ｓ１１０、照射・測定工程Ｓ１２０、導出工程Ｓ１３０を含む。
【００４４】
（接触工程Ｓ１１０）
接触工程Ｓ１１０は、所定の温度下で、ＯＨラジカル検出プローブ１０２と、測定対象ガスとを接触させる工程である。具体的に説明すると、まず、収容部１１０にＯＨラジカル検出プローブ１０２を収容する。そして、ガス供給部１３０によって収容部１１０の内部空間１１０ａに測定対象ガスが供給されると、ＯＨラジカル検出プローブ１０２と、測定対象ガスとが接触する。なお、測定対象ガスが高湿度の場合には、加熱部１２０を駆動して、収容部１１０内の測定対象ガスおよびＯＨラジカル検出プローブ１０２を所定の温度に加熱する。
【００４５】
（照射・測定工程Ｓ１２０）
照射・測定工程Ｓ１２０では、まず、接触工程Ｓ１１０において測定対象ガスに接触させた後のＯＨラジカル検出プローブ１０２を取りだす。そして、照射部１５０が取り出したＯＨラジカル検出プローブ１０２に紫外線を照射し、ＯＨラジカル検出プローブ１０２から生じる蛍光の強度を、測定部１６０が測定する。
【００４６】
（導出工程Ｓ１３０）
導出工程Ｓ１３０は、照射・測定工程Ｓ１２０において測定された蛍光の強度に基づいて、濃度導出部１７２が、測定対象ガス中のＯＨラジカルの濃度を導出する工程である。
【００４７】
以上説明したように、本実施形態にかかるＯＨラジカル測定装置１００、および、これを用いたＯＨラジカル測定方法によれば、ＯＨラジカル検出プローブ１０２の溶媒として、水以外の有機溶媒を利用することにより、気相中のＯＨラジカルを測定することが可能となる。
【００４８】
（実施例１）
比較例１（従来例）の化学プローブと、実施例１のＯＨラジカル検出プローブとの検量線をそれぞれ作成し、測定感度の比較を行った。
【００４９】
まず、水に所定濃度のＨＴＡを溶解させた標準液群（比較例１）を作成した。次に、ＤＭＦおよびメタノール（体積比４：１）に所定濃度のＨＴＡを溶解させた標準液群（実施例１）を作成した。そして、比較例１および実施例１のＨＴＡの蛍光強度の検量線をそれぞれ作成した。比較例１、実施例１ともに、上記所定濃度（ＨＴＡの濃度）が０．００２μＭ、０．２μＭ、２０μＭの標準液を用いた。
【００５０】
図４（ａ）および図４（ｂ）は、比較例１および実施例１の検量線を説明する図である。図４（ａ）は、比較例１の検量線を示す。図４（ｂ）は、実施例１の検量線を示す。図４（ａ）に示すように、比較例１では、ｙ＝１０．３８２ｘ（Ｒ２＝０．９９９７）の検量線が得られた。また、図４（ｂ）に示すように、実施例１では、ｙ＝８．１１３ｘ（Ｒ２＝０．９９９６）の検量線が得られた。
【００５１】
これにより、実施例１においても、従来の比較例１と同様の傾き、かつ、同様の相関係数の検量線を作成できることが確認された。これにより、有機溶媒を用いた実施例１のＯＨラジカル検出プローブでも、従来の水溶液を用いた比較例１の化学プローブと同等の性能を示すことが実証された。
【００５２】
（実施例２）
比較例２（従来例）の化学プローブを用いて、測定対象ガスＡと測定対象ガスＢとをそれぞれ測定した。比較例２の化学プローブとして、２ｍＭのテレフタル酸ナトリウム水溶液を作成した。また、測定対象ガスＡとして、オゾンおよび水蒸気の混合ガスを用いた。測定対象ガスＢとして乾燥オゾンを用いた。
【００５３】
そして、測定対象ガスＡを５分間接触させた後の比較例２の化学プローブに紫外線を照射し、比較例２の化学プローブから生じた蛍光の強度を測定した。また、測定対象ガスＢを５分間接触させた後の比較例２の化学プローブに紫外線を照射し、比較例２の化学プローブから生じた蛍光の強度を測定した。
【００５４】
図５は、実施例２の蛍光スペクトルを示す図である。なお、図５中、測定対象ガスＡを接触させた結果を実線で示し、測定対象ガスＢを接触させた結果を破線で示す。
【００５５】
図５に示すように、比較例２の化学プローブに測定対象ガスＡを接触させた場合、ＯＨラジカルとの反応生成物であるＨＴＡを示す波長４２５ｎｍの蛍光強度は、４７程度であった。また、比較例２の化学プローブに測定対象ガスＢを接触させた場合、ＨＴＡを示す波長４２５ｎｍの蛍光強度は、５４程度であった。つまり、比較例２の化学プローブに測定対象ガスＡを接触させた場合であっても、比較例２の化学プローブに測定対象ガスＢを接触させた場合であっても、蛍光強度に大きな差は認められなかった。換言すれば、比較例２の化学プローブは、測定対象ガスに水蒸気が含まれるか否かに拘わらず、ＯＨラジカルを検出していることが確認された。
【００５６】
ところで、従来、オゾンは水の存在下において殺菌効果を発揮するものの、オゾンのみ（乾燥オゾン）では殺菌効果が認められないことが分っている（例えば、新しいオゾン技術とバイオテクノロジー  増田閃一著  J.IEE Japan, Vol.108, No.12, 1988 p.1173-1176、食品工場の微生物制御へのオゾン利用技術  内藤茂三著  http://www.mac.or.jp/mail/120102/04.shtml）。殺菌効果には、ＯＨラジカルが寄与していることが分っているため、オゾンのみではＯＨラジカルが生成されていないと推察される。つまり、オゾンは水と共存することによって初めてＯＨラジカルを生成し、生成されたＯＨラジカルが殺菌効果を発揮する。
【００５７】
しかし、図５に示すように、実施例２の結果では、比較例２の化学プローブに、水蒸気が含まれる測定対象ガスＡを接触させた場合であっても、水蒸気が含まれない測定対象ガスＢを接触させた場合であってもＯＨラジカルが検出されている。つまり、比較例２の化学プローブは、化学プローブ中の水とオゾンとが反応することによって生じたＯＨラジカルを単に検出しているにすぎないことが分った。換言すれば、比較例２の化学プローブ（従来の化学プローブ）は、測定対象ガス中のＯＨラジカルを選択的に検出することができないことが確認された。
【００５８】
（実施例３：測定対象ガスとしてオゾンのみを測定）
ＯＨラジカル検出プローブとして、ＤＭＦおよびメタノール（体積比４：１）にテレフタル酸を２ｍｍｏｌ／Ｌ溶解させた液を用いた。また、測定対象ガスとしてオゾンを用いた。なお、実施例３において、加熱部１２０による加熱は実行しなかった。そして、オゾンを接触させた後のＯＨラジカル検出プローブに紫外線を照射し、ＯＨラジカル検出プローブから生じた蛍光の強度を測定した。
【００５９】
図６（ａ）〜図６（ｃ）は、実施例３の結果を説明する図である。図６（ａ）は、実施例３の蛍光スペクトルを示す図である。図６（ｂ）は、実施例３における測定対象ガスとＯＨラジカル検出プローブとの接触時間（分）と、蛍光強度との関係を示す図である。図６（ｃ）は、実施例３における測定対象ガスとＯＨラジカル検出プローブとの接触時間（分）と、ＯＨラジカル検出プローブ中のＨＴＡの濃度（ｎＭ）との関係を示す図である。
【００６０】
図６（ａ）〜図６（ｃ）に示すように、接触時間が５分、１０分、１５分、２０分、２５分のいずれにおいても、乾燥オゾンのみでは、ＯＨラジカルとの反応生成物であるＨＴＡを示す波長４２５ｎｍの蛍光は検出されなかった。
【００６１】
（実施例４：測定対象ガスとしてオゾンおよび水蒸気の混合ガスを測定）
ＯＨラジカル検出プローブとして、ＤＭＦおよびメタノール（体積比４：１）にテレフタル酸を２ｍｍｏｌ／Ｌ溶解させた液を用いた。また、測定対象ガスとしてオゾンおよび水蒸気の混合ガスを用いた。なお、実施例４において、加熱部１２０による加熱は６０℃で実行した。そして、オゾンおよび水蒸気の混合ガスを接触させた後のＯＨラジカル検出プローブに紫外線を照射し、ＯＨラジカル検出プローブから生じた蛍光の強度を測定した。
【００６２】
図７（ａ）〜図７（ｃ）は、実施例４の結果を説明する図である。図７（ａ）は、実施例４の蛍光スペクトルを示す図である。図７（ｂ）は、実施例４における測定対象ガスとＯＨラジカル検出プローブとの接触時間（分）と、蛍光強度との関係を示す図である。図７（ｃ）は、実施例４における測定対象ガスとＯＨラジカル検出プローブとの接触時間（分）と、ＯＨラジカル検出プローブ中のＨＴＡの濃度（ｎＭ）との関係を示す図である。
【００６３】
図７（ａ）、図７（ｂ）に示すように、接触時間が５分、１０分、１５分、２０分、２５分と長くなるに従って、ＨＴＡを示す波長４２５ｎｍの蛍光強度が大きくなることが分かった。また、図７（ｂ）に示すように、接触時間の経過に従って、蛍光強度が直線的（ｙ＝１．６１４ｘ＋０．９１９、Ｒ２＝０．９８０７）に増加することが確認された。つまり、図７（ｃ）に示すように、接触時間の経過に従って、ＨＴＡの濃度が直線的（ｙ＝４．１９６９ｘ−０．２１０６、Ｒ２＝０．９８０７）に増加することが確認された。
【００６４】
（実施例５：測定対象ガスとして過酸化水素のみを測定）
ＯＨラジカル検出プローブとして、ＤＭＦおよびメタノール（体積比４：１）にテレフタル酸を２ｍｍｏｌ／Ｌ溶解させた液を用いた。また、測定対象ガスとして過酸化水素を用いた。なお、実施例５において、加熱部１２０による加熱は６０℃で実行した。そして、過酸化水素を接触させた後のＯＨラジカル検出プローブに紫外線を照射し、ＯＨラジカル検出プローブから生じた蛍光の強度を測定した。
【００６５】
図８（ａ）〜図８（ｃ）は、実施例５の結果を説明する図である。図８（ａ）は、実施例５の蛍光スペクトルを示す図である。図８（ｂ）は、実施例５における測定対象ガスとＯＨラジカル検出プローブとの接触時間（分）と、蛍光強度との関係を示す図である。図８（ｃ）は、実施例５における測定対象ガスとＯＨラジカル検出プローブとの接触時間（分）と、ＯＨラジカル検出プローブ中のＨＴＡの濃度（ｎＭ）との関係を示す図である。
【００６６】
図８（ａ）、図８（ｂ）に示すように、接触時間が５分、１０分、１５分、２０分、２５分、３０分、３５分、４０分、４５分、５０分と長くなるに従って、ＨＴＡを示す波長４２５ｎｍの蛍光強度が大きくなることが分かった。また、図８（ｂ）に示すように、接触時間の経過に従って、蛍光強度が直線的（ｙ＝０．１７０４ｘ＋２．４６０２、Ｒ２＝０．９８２７）に増加することが確認された。つまり、図８（ｃ）に示すように、接触時間の経過に従って、ＨＴＡの濃度が直線的（ｙ＝０．４４３１ｘ−０．３７９２、Ｒ２＝０．９８２７）に増加することが確認された。
【００６７】
（実施例６：測定対象ガスとしてオゾンおよび過酸化水素の混合ガスを測定）
ＯＨラジカル検出プローブとして、ＤＭＦおよびメタノール（体積比４：１）にテレフタル酸を２ｍｍｏｌ／Ｌ溶解させた液を用いた。また、測定対象ガスとしてオゾンおよび過酸化水素の混合ガスを用いた。なお、実施例６において、加熱部１２０による加熱は６０℃で実行した。そして、オゾンおよび過酸化水素の混合ガスを接触させた後のＯＨラジカル検出プローブに紫外線を照射し、ＯＨラジカル検出プローブから生じた蛍光の強度を測定した。
【００６８】
図９（ａ）〜図９（ｃ）は、実施例６の結果を説明する図である。図９（ａ）は、実施例６の蛍光スペクトルを示す図である。図９（ｂ）は、実施例６における測定対象ガスとＯＨラジカル検出プローブとの接触時間（分）と、蛍光強度との関係を示す図である。図９（ｃ）は、実施例６における測定対象ガスとＯＨラジカル検出プローブとの接触時間（分）と、ＯＨラジカル検出プローブ中のＨＴＡの濃度（ｎＭ）との関係を示す図である。
【００６９】
図９（ａ）、図９（ｂ）に示すように、接触時間が５分、１０分、１５分、２０分、２５分と長くなるに従って、ＨＴＡを示す波長４２５ｎｍの蛍光強度が大きくなることが分かった。また、図９（ｂ）に示すように、接触時間の経過に従って、蛍光強度が直線的（ｙ＝２．７９３１ｘ−２．５３２７、Ｒ２＝０．９９１６）に増加することが確認された。つまり、図９（ｃ）に示すように、接触時間の経過に従って、ＨＴＡの濃度が直線的（ｙ＝７．２６２９ｘ−６．５８５８、Ｒ２＝０．９９１６）に増加することが確認された。
【００７０】
図１０は、実施例４〜実施例６を測定対象ガスとしたときに、ＯＨラジカル検出プローブ中に生成されたＨＴＡの濃度を説明する図である。図１０中、実施例４を白四角で示し、実施例５を黒四角で示し、実施例６を黒丸で示す。なお、実施例４〜実施例６では、反応時間（ＯＨラジカル検出プローブ１０２と測定対象ガスとの接触時間）が、５分、１０分、１５分、２０分、２５分の際のＨＴＡの濃度を導出した。
【００７１】
その結果、図１０に示すように、実施例４〜実施例６のいずれも反応時間が長くなるにしたがって、ＨＴＡの濃度（ＯＨラジカルの濃度）が上昇することが分かった。また、実施例６（オゾンおよび過酸化水素の混合ガス）は、実施例４（オゾンおよび水蒸気の混合ガス）より、ＨＴＡの濃度が高いことが分かった。実施例４は、実施例５（過酸化水素のみ）よりＨＴＡの濃度が高いことが分かった。
【００７２】
（実施例７：極性プロトン性有機溶媒としてメタノールを用いた場合）
ＤＭＦおよびメタノール（体積比４：１）にテレフタル酸を２ｍｍｏｌ／Ｌ溶解させたＯＨラジカル検出プローブを用いて、オゾンおよび水蒸気の混合ガスの測定を行い、ＨＴＡの濃度からＨＴＡの生成速度（ｎＭ／分）を求めた。
【００７３】
図１１（ａ）および図１１（ｂ）は、実施例７の結果を説明する図である。図１１（ａ）は、実施例７の蛍光スペクトルを示す図である。図１１（ｂ）は、実施例７における測定対象ガスとＯＨラジカル検出プローブとの接触時間（分）と、蛍光強度との関係を示す図である。なお、図１１（ａ）中、２回目は、１回目の１８日（２５９２０分）後の測定結果である。
【００７４】
図１１（ａ）および図１１（ｂ）に示すように、極性プロトン性有機溶媒としてメタノールを用いたＯＨラジカル検出プローブでは、ＨＴＡの生成速度が０．０００３４ｎＭ／分程度であった。
【００７５】
（実施例８：極性プロトン性有機溶媒としてエタノールを用いた場合）
ＤＭＦおよびエタノール（体積比４：１）にテレフタル酸を２ｍｍｏｌ／Ｌ溶解させたＯＨラジカル検出プローブを用いて、オゾンおよび水蒸気の混合ガスの測定を行い、ＨＴＡの濃度からＨＴＡの生成速度（ｎＭ／分）を求めた。
【００７６】
図１２（ａ）および図１２（ｂ）は、実施例８の結果を説明する図である。図１２（ａ）は、実施例８の蛍光スペクトルを示す図である。図１２（ｂ）は、実施例８における測定対象ガスとＯＨラジカル検出プローブとの接触時間（分）と、蛍光強度との関係を示す図である。なお、図１２（ａ）中、２回目は、１回目の１８日（２５９２０分）後の測定結果である。
【００７７】
図１２（ａ）および図１２（ｂ）に示すように、極性プロトン性有機溶媒としてエタノールを用いたＯＨラジカル検出プローブでは、ＨＴＡの生成速度が０．０００４１ｎＭ／分程度であった。
【００７８】
（実施例９：極性プロトン性有機溶媒として２−プロパノールを用いた場合）
ＤＭＦおよび２−プロパノール（体積比４：１）にテレフタル酸を２ｍｍｏｌ／Ｌ溶解させたＯＨラジカル検出プローブを用いて、オゾンおよび水蒸気の混合ガスの測定を行い、ＨＴＡの濃度からＨＴＡの生成速度（ｎＭ／分）を求めた。
【００７９】
図１３（ａ）および図１３（ｂ）は、実施例９の結果を説明する図である。図１３（ａ）は、実施例９の蛍光スペクトルを示す図である。図１３（ｂ）は、実施例９における測定対象ガスとＯＨラジカル検出プローブとの接触時間（分）と、蛍光強度との関係を示す図である。なお、図１３（ａ）中、２回目は、１回目の１８日（２５９２０分）後の測定結果である。
【００８０】
図１３（ａ）および図１３（ｂ）に示すように、極性プロトン性有機溶媒として２−プロパノールを用いたＯＨラジカル検出プローブでは、ＨＴＡの生成速度が０．０００５４ｎＭ／分程度であった。
【００８１】
上記実施例７〜実施例９の結果から、極性プロトン性有機溶媒として、メタノール、エタノール、２−プロパノールが効率よく利用できることが確認された。
【００８２】
以上、添付図面を参照しながら実施形態について説明したが、本開示はかかる実施形態に限定されないことは言うまでもない。当業者であれば、特許請求の範囲に記載された範疇において、各種の変更例または修正例に想到し得ることは明らかであり、それらについても当然に技術的範囲に属するものと了解される。
【００８３】
例えば、上記実施形態において、ＯＨラジカル検出プローブが、ＯＨラジカルスカベンジャーとして芳香族カルボン酸を備える構成を例に挙げて説明した。しかし、ＯＨラジカル検出プローブは、芳香族カルボン酸以外のＯＨラジカルスカベンジャーを備えてもよい。
【００８４】
また、上記実施形態において、ＯＨラジカル検出プローブが、芳香族カルボン酸、極性非プロトン性有機溶媒、および、極性プロトン性有機溶媒のみを含む場合を例に挙げて説明した。しかし、ＯＨラジカル検出プローブは、水を含まなければよく、他の溶媒を含んでもよい。
【００８５】
また、上記実施形態において、ＯＨラジカル測定装置１００が加熱部１２０を備える構成を例に挙げて説明した。しかし、加熱部１２０は必須の構成ではない。
【００８６】
また、上記実施形態において、濃度換算部１４０が、照射部１５０と、測定部１６０と、制御部１７０とを含む場合を例に挙げて説明した。しかし、濃度換算部１４０は、測定対象ガスに接触させた後のＯＨラジカル検出プローブ中における、芳香族カルボン酸とＯＨラジカルとの反応生成物の濃度に基づいて、測定対象ガス中のＯＨラジカルの濃度を換算することができれば、構成に限定はない。濃度換算部１４０は、例えば、ガスクロマトグラフ（ＧＣ）、液体クロマトグラフ（ＬＣ）、質量分析装置（ＭＳ）、ガスクロマトグラフ質量分析装置（ＧＣ−ＭＳ、ＧＣ−ＭＳ／ＭＳ）、液体クロマトグラフ質量分析装置（ＬＣ−ＭＳ、ＬＣ−ＭＳ／ＭＳ）、および、赤外分光装置（ＩＲ）のうちのいずれか１またはいずれか２以上の装置であってもよい。
【産業上の利用可能性】
【００８７】
本開示は、ＯＨラジカル検出プローブ、ＯＨラジカル測定装置、および、ＯＨラジカル測定方法に利用することができる。
【符号の説明】
【００８８】
Ｓ１１０  接触工程
Ｓ１２０  照射・測定工程
Ｓ１３０  導出工程
１００  ＯＨラジカル測定装置
１０２  ＯＨラジカル検出プローブ
１１０  収容部
１２０  加熱部
１３０  ガス供給部
１４０  濃度換算部
１５０  照射部
１６０  測定部
１７２  濃度導出部
【図１】
2018155260.tif 000004
【図２】
2018155260.tif 000005
【図３】
2018155260.tif 000006
【図４】
2018155260.tif 000007
【図５】
2018155260.tif 000008
【図６】
2018155260.tif 000009
【図７】
2018155260.tif 000010
【図８】
2018155260.tif 000011
【図９】
2018155260.tif 000012
【図１０】
2018155260.tif 000013
【図１１】
2018155260.tif 000014
【図１２】
2018155260.tif 000015
【図１３】
2018155260.tif 000016
【国際調査報告】
2018155260.tif 000017
2018155260.tif 000018
2018155260.tif 000019
2018155260.tif 000020
2018155260.tif 000021
2018155260.tif 000022